(57)【要約】本発明に係るページング信号送信方法は、無線基地局ｅＮＢが、移動局ＵＥに対して、ページング信号ＰＣＨに対する間欠受信を行う間隔を示す間欠受信間隔及びグループの総数を通知する工程と、移動局ＵＥが、通知された間欠受信間隔及びグループの総数に基づいて、ページング信号を受信するタイミングを決定する工程と、移動局ＵＥが、決定されたタイミングで、無線基地局ｅＮＢから送信されたページング信号を受信する工程と、移動局ＵＥが、受信したページング信号が自分宛てのページング信号である場合に、着信処理を行う工程とを有する。
2009035060.tif 000002
【特許請求の範囲】
【請求項１】
無線基地局が、複数のグループのいずれかに属する移動局に対して、着信があった旨を通知するためのページング信号を送信するページング信号送信方法であって、
前記無線基地局が、前記移動局に対して、前記ページング信号に対する間欠受信を行う間隔を示す間欠受信間隔及び前記グループの総数を通知する工程と、
前記移動局が、通知された前記間欠受信間隔及び前記グループの総数に基づいて、前記ページング信号を受信するタイミングを決定する工程と、
前記移動局が、決定された前記タイミングで、前記無線基地局から送信された前記ページング信号を受信する工程と、
前記移動局が、受信した前記ページング信号が自分宛てのページング信号である場合に、着信処理を行う工程とを有することを特徴とするページング信号送信方法。
【請求項２】
無線基地局から、複数のグループのいずれかに属する移動局に対して着信があった旨を通知するためのページング信号を受信するように構成されている移動局であって、
前記無線基地局から通知された前記ページング信号に対する間欠受信を行う間隔を示す間欠受信間隔及び前記グループの総数に基づいて、前記ページング信号を受信するタイミングを決定するように構成されている受信タイミング決定部と、
前記受信タイミング決定部により決定された前記タイミングで、前記無線基地局から送信された前記ページング信号を受信するように構成されているページング信号受信部と、
受信した前記ページング信号が自分宛てのページング信号である場合に、着信処理を行うように構成されている着信処理部とを具備することを特徴とする移動局。
【請求項３】
前記受信タイミング決定部は、前記ページング信号がマッピングされている無線フレームを構成する複数のサブフレームの中から選択したサブフレームを、前記タイミングとして決定するように構成されており、
前記ページング信号は、複数の無線フレーム内の１つのサブフレームにおいてのみ送信されるように構成されていることを特徴とする請求項２に記載の移動局。
【請求項４】
前記受信タイミング決定部は、前記ページング信号がマッピングされている無線フレームを構成する複数のサブフレームの中から選択したサブフレームを、前記タイミングとして決定するように構成されており、
前記ページング信号は、１つの無線フレーム内の複数のサブフレームにおいて送信されるように構成されていることを特徴とする請求項２に記載の移動局。
【請求項５】
前記間欠受信間隔に含まれる前記無線フレームの数を「Ｔ」とし、前記グループの総数を「Ｎ」とし、前記移動局の識別情報を「Ｕ」とし、前記移動局が属するグループの識別情報を「Ｇ」とし、「Ｔ≧Ｎ」とすると、
前記受信タイミング決定部は、
【数１】
2009035060.tif 000009
から算出される前記ＳＦＮによって特定される無線フレーム内の所定のサブフレームを、前記タイミングとして決定するように構成されていることを特徴とする請求項３に記載の移動局。
【請求項６】
前記間欠受信間隔に含まれる前記無線フレームの数を「Ｔ」とし、前記グループの総数を「Ｎ」とし、前記移動局の識別情報を「Ｕ」とし、前記移動局が属するグループの識別情報を「Ｇ」とし、「Ｔ＜Ｎ」とすると、
前記受信タイミング決定部は、
【数２】
2009035060.tif 000010
から算出される前記ＳＦＮによって特定される無線フレーム内の前記ＳＵＢＦＮに対応するサブフレームを、前記タイミングとして決定するように構成されていることを特徴とする請求項４に記載の移動局。
【請求項７】
前記受信タイミング決定部は、前記無線基地局から通知された前記１つの無線フレーム内の先頭サブフレームからのオフセットに基づいて、前記ページング信号が送信される前記１つの無線フレーム内の複数のサブフレームを決定するように構成されていることを特徴とする請求項４に記載の移動局。
【請求項８】
前記受信タイミング決定部は、前記無線基地局から通知された前記ページング信号がマッピングされている複数のサブフレームを示すビットマップに基づいて、前記ページング信号が送信される前記１つの無線フレーム内の複数のサブフレームを決定するように構成されていることを特徴とする請求項４に記載の移動局。
【請求項９】
前記受信タイミング決定部は、前記無線基地局から通知された前記ページング信号がマッピングされている複数のサブフレームのパターンを示すマッピングパターンに基づいて、前記１つの無線フレーム内の複数のサブフレームを決定するように構成されていることを特徴とする請求項４に記載の移動局。
【請求項１０】
複数のグループのいずれかに属する移動局に対して、着信があった旨を通知するためのページング信号を送信するように構成されている無線基地局であって、
複数の無線フレーム内の１つのサブフレームにおいてのみ、前記ページング信号を送信するように構成されているページング信号送信部と、
前記移動局に対して、前記ページング信号に対する間欠受信を行う間隔を示す間欠受信間隔及び前記グループの総数を通知するように構成されている通知部とを具備し、
前記移動局における前記ページング信号を受信するタイミングは、前記間欠受信間隔及び前記グループの総数に基づいて決定されるように構成されていることを特徴とする無線基地局。
【請求項１１】
複数のグループのいずれかに属する移動局に対して、着信があった旨を通知するためのページング信号を送信するように構成されている無線基地局であって、
１つの無線フレーム内の複数のサブフレームにおいて、前記ページング信号を送信するように構成されているページング信号送信部と、
前記移動局に対して、前記ページング信号に対する間欠受信を行う間隔を示す間欠受信間隔及び前記グループの総数を通知するように構成されている通知部と、
前記ページング信号を送信するサブフレームに応じて、前記間欠受信間隔及び前記グループの総数を調整するように構成されている調整部とを具備し、
前記移動局における前記ページング信号を受信するタイミングは、前記間欠受信間隔及び前記グループの総数に基づいて決定されるように構成されていることを特徴とする無線基地局。
【請求項１２】
前記調整部は、各移動局宛ての着信量に応じて、前記間欠受信間隔及び前記グループの総数を調整するように構成されていることを特徴とする請求項１０又は１１に記載の無線基地局。
【請求項１３】
前記調整部は、各セルにおいて利用可能な帯域幅に応じて、前記間欠受信間隔及び前記グループの総数を調整するように構成されていることを特徴とする請求項１０又は１１に記載の無線基地局。
【請求項１４】
前記調整部は、各セルにおける報知情報の変更頻度に応じて、前記間欠受信間隔及び前記グループの総数を調整するように構成されていることを特徴とする請求項１０又は１１に記載の無線基地局。
【請求項１５】
無線基地局が、複数のグループのいずれかに属する移動局に対して、着信があった旨を通知するためのページング信号を送信するページング信号送信方法であって、
前記無線基地局が、前記移動局に対して、前記ページング信号に対する間欠受信を行う間隔を示す間欠受信間隔、及び、該ページング信号がマッピングされている複数のサブフレームのパターンを示すマッピングパターンを通知する工程と、
前記移動局が、通知された前記間欠受信間隔及び前記マッピングパターンに基づいて、前記ページング信号を受信するタイミングを決定する工程と、
前記移動局が、決定された前記タイミングで、前記無線基地局から送信された前記ページング信号を受信する工程と、
前記移動局が、受信した前記ページング信号が自分宛てのページング信号である場合に、着信処理を行う工程とを有することを特徴とするページング信号送信方法。
【請求項１６】
無線基地局から、複数のグループのいずれかに属する移動局に対して着信があった旨を通知するためのページング信号を受信するように構成されている移動局であって、
前記無線基地局から通知された前記ページング信号に対する間欠受信を行う間隔を示す間欠受信間隔、及び、該無線基地局から通知された該ページング信号がマッピングされている複数のサブフレームのパターンを示すマッピングパターンに基づいて、前記ページング信号を受信するタイミングを決定するように構成されている受信タイミング決定部と、
前記受信タイミング決定部により決定された前記タイミングで、前記無線基地局から送信された前記ページング信号を受信するように構成されているページング信号受信部と、
受信した前記ページング信号が自分宛てのページング信号である場合に、着信処理を行うように構成されている着信処理部とを具備することを特徴とする移動局。
【請求項１７】
前記受信タイミング決定部は、前記ページング信号がマッピングされている無線フレームを構成する複数のサブフレームの中から選択したサブフレームを、前記タイミングとして決定するように構成されており、
前記ページング信号は、複数の無線フレーム内の１つのサブフレームにおいてのみ送信されるように構成されていることを特徴とする請求項１６に記載の移動局。
【請求項１８】
前記受信タイミング決定部は、前記ページング信号がマッピングされている無線フレームを構成する複数のサブフレームの中から選択したサブフレームを、前記タイミングとして決定するように構成されており、
前記ページング信号は、１つの無線フレーム内の複数のサブフレームにおいて送信されるように構成されていることを特徴とする請求項１６に記載の移動局。
【請求項１９】
前記間欠受信間隔に含まれる前記無線フレームの数を「Ｔ」とし、前記グループの総数を「Ｎ」とし、前記移動局の識別情報を「Ｕ」とすると、
前記受信タイミング決定部は、
【数２Ａ】
2009035060.tif 000011
から算出される前記ＳＦＮによって特定される無線フレーム内の前記ＳＵＢＦＮに対応するサブフレームを、前記タイミングとして決定するように構成されていることを特徴とする請求項１６に記載の移動局。
【請求項２０】
複数のグループのいずれかに属する移動局に対して、着信があった旨を通知するためのページング信号を送信するように構成されている無線基地局であって、
複数の無線フレーム内の１つのサブフレームにおいてのみ、前記ページング信号を送信するように構成されているページング信号送信部と、
前記移動局に対して、前記ページング信号に対する間欠受信を行う間隔を示す間欠受信間隔、及び、該ページング信号がマッピングされている複数のサブフレームのパターンを示すマッピングパターンを通知するように構成されている通知部とを具備し、
前記移動局における前記ページング信号を受信するタイミングは、前記間欠受信間隔及び前記マッピングパターンに基づいて決定されるように構成されていることを特徴とする無線基地局。
【請求項２１】
複数のグループのいずれかに属する移動局に対して、着信があった旨を通知するためのページング信号を送信するように構成されている無線基地局であって、
１つの無線フレーム内の複数のサブフレームにおいて、前記ページング信号を送信するように構成されているページング信号送信部と、
前記移動局に対して、前記ページング信号に対する間欠受信を行う間隔を示す間欠受信間隔、及び、該ページング信号がマッピングされている複数のサブフレームのパターンを示すマッピングパターンを通知するように構成されている通知部と、
前記ページング信号を送信するサブフレームに応じて、前記間欠受信間隔及び前記マッピングパターンを調整するように構成されている調整部とを具備し、
前記移動局における前記ページング信号を受信するタイミングは、前記間欠受信間隔及び前記マッピングパターンに基づいて決定されるように構成されていることを特徴とする無線基地局。
【請求項２２】
前記無線フレームは、１０個のサブフレームによって構成されており、
報知情報は、各無線フレーム内の１番目及び６番目のサブフレームによって送信されるように構成されており、
前記ページング信号送信部は、各無線フレーム内の１０番目のサブフレームにおいて、前記ページング信号を送信するように構成されていることを特徴とする請求項１０に記載の無線基地局。
【請求項２３】
前記無線フレームは、１０個のサブフレームによって構成されており、
報知情報は、各無線フレーム内の１番目のサブフレームによって送信されるように構成されており、
前記ページング信号送信部は、前記ページング信号を送信するサブフレームとして、各無線フレーム内の１０番目のサブフレーム及び各無線フレーム内の５番目のサブフレームの順に優先して用いるように構成されていることを特徴とする請求項１１に記載の無線基地局。
【請求項２４】
前記無線フレームは、１０個のサブフレームによって構成されており、
報知情報は、各無線フレーム内の１番目のサブフレームによって送信されるように構成されており、
前記受信タイミング決定部は、各無線フレーム内の１０番目のサブフレームを、前記所定タイミングとするように構成されていることを特徴とする請求項１１に記載の無線基地局。
【発明の詳細な説明】
【技術分野】
【０００１】
本発明は、無線基地局が複数のグループのいずれかに属する移動局に対して着信があった旨を通知するためのページング信号を送信するページング信号送信方法、移動局及び無線基地局に関する。
【背景技術】
【０００２】
図７を参照して、ＬＴＥ（Ｌｏｎｇ  Ｔｅｒｍ  Ｅｖｏｌｕｔｉｏｎ）方式の移動通信システムにおいて、無線基地局ｅＮＢが、複数のグループ＃１乃至＃３のいずれかに属する移動局ＵＥに対して着信があった旨を通知するためのページング信号を送信する動作（ページング信号送信方法）について説明する。【０００３】
図７に示すように、無線基地局ｅＮＢは、グループ＃１に属する移動局ＵＥに対して着信があったことを検知した場合、グループ＃１用のサブフレーム（図７の例では、無線フレーム＃０内のサブフレーム＃０）において、Ｐ-ＲＮＴＩ（Ｐａｇｉｎｇ-Ｒａｄｉｏ  Ｎｅｔｗｏｒｋ  Ｔｅｍｐｏｒａｒｙ  Ｉｄｅｎｔｉｆｉｅｒ）を含むＰＤＣＣＨ（Ｐｈｙｓｉｃａｌ  Ｄｏｗｎｌｉｎｋ  Ｃｏｎｔｒｏｌ  Ｃｈａｎｎｅｌ）を送信するように構成されている。【０００４】
なお、無線基地局ｅＮＢは、かかるＰＤＣＣＨによって、グループ＃１に属する移動局ＵＥに対して、グループ＃１用のＰＣＨ（Ｐａｇｉｎｇ  Ｃｈａｎｎｅｌ）（すなわち、グループ＃１に属する移動局ＵＥに対して着信があった旨を通知するためのページング信号）がマッピングされているＰＤＳＣＨ（Ｐｈｙｓｉｃａｌ  Ｄｏｗｎｌｉｎｋ  Ｓｈａｒｅｄ  Ｃｈａｎｎｅｌ）のリソースブロック位置やサイズ等を通知するように構成されている。【０００５】
また、無線基地局ｅＮＢは、かかるＰＤＳＣＨによって、上述の着信があった移動局ＵＥの識別情報（ＵＥ-ＩＤ）を通知するように構成されている。【０００６】
一方、移動局ＵＥは、グループ＃１用の間欠受信間隔（ページングＤＲＸ間隔）ごとに、Ｐ-ＲＮＴＩを含むＰＤＣＣＨが送信されているか否かについて監視するように構成されている。【０００７】
そして、移動局ＵＥは、Ｐ-ＲＮＴＩを含むＰＤＣＣＨが送信されていると判断した場合には、当該ＰＤＣＣＨに含まれている情報（例えば、ＰＤＳＣＨのリソースブロック位置やサイズ等）に基づいて、当該ＰＤＣＣＨに対応するＰＤＳＣＨを受信するように構成されている。【０００８】
また、移動局ＵＥは、受信したＰＤＳＣＨに含まれているＵＥ-ＩＤが自分宛てのＵＥ-ＩＤであった場合には、無線基地局ｅＮＢとの間で着信処理を行うように構成されている。
【非特許文献１】３ＧＰＰ  ＴＳ３６．３００，“Ｅ−ＵＴＲＡ  ａｎｄ  Ｅ−ＵＴＲＡＮ；  Ｏｖｅｒａｌｌ  ｄｅｓｃｒｉｐｔｉｏｎ；  Ｓｔａｇｅ  ２，”  ｖ８．１．０．
【非特許文献２】Ｒ２−０７３３７２，”Ｐａｇｉｎｇ  Ｐｒｏｃｅｄｕｒｅ  ｉｎ  ＬＴＥ，”ＮＴＴ  ＤｏＣｏＭｏ，Ｉｎｃ．，  ＮＥＣ．
【０００９】
しかしながら、従来のＬＴＥ方式の移動通信システムにおいて想定されているページング送信方法では、各無線フレーム（１０ｍｓ）において、各グループ用のＰＣＨ（ページング信号）を送信することができるサブフレーム（１ｍｓ）を、１つしか設定することができない。【００１０】
したがって、かかる移動通信システムでは、セルにおける帯域幅が狭い場合や、他の信号（例えば、ＢＣＣＨ：Ｂｒｏａｄｃａｓｔ  Ｃｏｎｔｒｏｌ  Ｃｈａｎｎｅｌ等）が当該サブフレームにマッピングされている場合等では、当該サブフレームにＰＣＨをマッピングすることができなくなる可能性があるという問題点があった。
【発明の開示】
【００１１】
そこで、本発明は、上述の課題に鑑みてなされたものであり、各グループ用のページング信号の送信タイミングを柔軟に変更することができるページング信号送信方法、移動局及び無線基地局を提供することを目的とする。
【００１２】
本発明の第１の特徴は、無線基地局が、複数のグループのいずれかに属する移動局に対して、着信があった旨を通知するためのページング信号を送信するページング信号送信方法であって、前記無線基地局が、前記移動局に対して、前記ページング信号に対する間欠受信を行う間隔を示す間欠受信間隔及び前記グループの総数を通知する工程と、前記移動局が、通知された前記間欠受信間隔及び前記グループの総数に基づいて、前記ページング信号を受信するタイミングを決定する工程と、前記移動局が、決定された前記タイミングで、前記無線基地局から送信された前記ページング信号を受信する工程と、前記移動局が、受信した前記ページング信号が自分宛てのページング信号である場合に、着信処理を行う工程とを有することを要旨とする。
【００１３】
本発明の第２の特徴は、無線基地局から、複数のグループのいずれかに属する移動局に対して着信があった旨を通知するためのページング信号を受信するように構成されている移動局であって、前記無線基地局から通知された前記ページング信号に対する間欠受信を行う間隔を示す間欠受信間隔及び前記グループの総数に基づいて、前記ページング信号を受信するタイミングを決定するように構成されている受信タイミング決定部と、前記受信タイミング決定部により決定された前記タイミングで、前記無線基地局から送信された前記ページング信号を受信するように構成されているページング信号受信部と、受信した前記ページング信号が自分宛てのページング信号である場合に、着信処理を行うように構成されている着信処理部とを具備することを要旨とする。
【００１４】
本発明の第２の特徴において、前記受信タイミング決定部は、前記ページング信号がマッピングされている無線フレームを構成する複数のサブフレームの中から選択したサブフレームを、前記タイミングとして決定するように構成されており、前記ページング信号は、複数の無線フレーム内の１つのサブフレームにおいてのみ送信されるように構成されていてもよい。
【００１５】
本発明の第２の特徴において、前記受信タイミング決定部は、前記ページング信号がマッピングされている無線フレームを構成する複数のサブフレームの中から選択したサブフレームを、前記タイミングとして決定するように構成されており、前記ページング信号は、１つの無線フレーム内の複数のサブフレームにおいて送信されるように構成されていてもよい。
【００１６】
本発明の第２の特徴において、前記間欠受信間隔に含まれる前記無線フレームの数を「Ｔ」とし、前記グループの総数を「Ｎ」とし、前記移動局の識別情報を「Ｕ」とし、前記移動局が属するグループの識別情報を「Ｇ」とし、「Ｔ≧Ｎ」とすると、前記受信タイミング決定部は、
【数３】
2009035060.tif 000003
【００１７】
から算出される前記ＳＦＮによって特定される無線フレーム内の所定のサブフレームを、前記タイミングとして決定するように構成されていてもよい。
【００１８】
本発明の第２の特徴において、前記間欠受信間隔に含まれる前記無線フレームの数を「Ｔ」とし、前記グループの総数を「Ｎ」とし、前記移動局の識別情報を「Ｕ」とし、前記移動局が属するグループの識別情報を「Ｇ」とし、「Ｔ＜Ｎ」とすると、前記受信タイミング決定部は、
【数４】
2009035060.tif 000004
【００１９】
から算出される前記ＳＦＮによって特定される無線フレーム内の前記ＳＵＢＦＮに対応するサブフレームを、前記タイミングとして決定するように構成されていてもよい。
【００２０】
本発明の第２の特徴において、前記受信タイミング決定部は、前記無線基地局から通知された前記１つの無線フレーム内の先頭サブフレームからのオフセットに基づいて、前記１つの無線フレーム内の複数のサブフレームを決定するように構成されていてもよい。
【００２１】
本発明の第２の特徴において、前記受信タイミング決定部は、前記無線基地局から通知された前記ページング信号がマッピングされている複数のサブフレームを示すビットマップに基づいて、前記１つの無線フレーム内の複数のサブフレームを決定するように構成されていてもよい。
【００２２】
本発明の第２の特徴において、前記受信タイミング決定部は、前記無線基地局から通知された前記ページング信号がマッピングされている複数のサブフレームのパターンを示すマッピングパターンに基づいて、前記１つの無線フレーム内の複数のサブフレームを決定するように構成されていてもよい。
【００２３】
本発明の第３の特徴は、複数のグループのいずれかに属する移動局に対して、着信があった旨を通知するためのページング信号を送信するように構成されている無線基地局であって、複数の無線フレーム内の１つのサブフレームにおいてのみ、前記ページング信号を送信するように構成されているページング信号送信部と、前記移動局に対して、前記ページング信号に対する間欠受信を行う間隔を示す間欠受信間隔及び前記グループの総数を通知するように構成されている通知部とを具備し、前記移動局における前記ページング信号を受信するタイミングは、前記間欠受信間隔及び前記グループの総数に基づいて決定されるように構成されていてもよい。
【００２４】
本発明の第４の特徴は、複数のグループのいずれかに属する移動局に対して、着信があった旨を通知するためのページング信号を送信するように構成されている無線基地局であって、１つの無線フレーム内の複数のサブフレームにおいて、前記ページング信号を送信するように構成されているページング信号送信部と、前記移動局に対して、前記ページング信号に対する間欠受信を行う間隔を示す間欠受信間隔及び前記グループの総数を通知するように構成されている通知部と、前記ページング信号を送信するサブフレームに応じて、前記間欠受信間隔及び前記グループの総数を調整するように構成されている調整部とを具備し、前記移動局における前記ページング信号を受信するタイミングは、前記間欠受信間隔及び前記グループの総数に基づいて決定されるように構成されていてもよい。
【００２５】
本発明の第３又は第４の特徴において、前記調整部は、各移動局宛ての着信量に応じて、前記間欠受信間隔及び前記グループの総数を調整するように構成されていてもよい。
【００２６】
本発明の第３又は第４の特徴において、前記調整部は、各セルにおいて利用可能な帯域幅に応じて、前記間欠受信間隔及び前記グループの総数を調整するように構成されていてもよい。
【００２７】
本発明の第３又は第４の特徴において、前記調整部は、各セルにおける報知情報の変更頻度に応じて、前記間欠受信間隔及び前記グループの総数を調整するように構成されていてもよい。
【００２８】
本発明の第４の特徴において、前記無線フレームは、１０個のサブフレームによって構成されており、報知情報は、各無線フレーム内の１番目のサブフレームによって送信されるように構成されており、前記ページング信号送信部は、前記ページング信号を送信するサブフレームとして、各無線フレーム内の１０番目のサブフレーム及び各無線フレーム内の５番目のサブフレームの順に優先して用いるように構成されていてもよい。
【００２９】
本発明の第４の特徴において、前記無線フレームは、１０個のサブフレームによって構成されており、報知情報は、各無線フレーム内の１番目のサブフレームによって送信されるように構成されており、前記受信タイミング決定部は、各無線フレーム内の１０番目のサブフレームを、前記所定タイミングとするように構成されていてもよい。
【００３０】
本発明の第５の特徴は、無線基地局が、複数のグループのいずれかに属する移動局に対して、着信があった旨を通知するためのページング信号を送信するページング信号送信方法であって、前記無線基地局が、前記移動局に対して、前記ページング信号に対する間欠受信を行う間隔を示す間欠受信間隔、及び、該ページング信号がマッピングされている複数のサブフレームのパターンを示すマッピングパターンを通知する工程と、前記移動局が、通知された前記間欠受信間隔及び前記マッピングパターンに基づいて、前記ページング信号を受信するタイミングを決定する工程と、前記移動局が、決定された前記タイミングで、前記無線基地局から送信された前記ページング信号を受信する工程と、前記移動局が、受信した前記ページング信号が自分宛てのページング信号である場合に、着信処理を行う工程とを有することを要旨とする。
【００３１】
本発明の第６の特徴は、無線基地局から、複数のグループのいずれかに属する移動局に対して着信があった旨を通知するためのページング信号を受信するように構成されている移動局であって、前記無線基地局から通知された前記ページング信号に対する間欠受信を行う間隔を示す間欠受信間隔、及び、該無線基地局から通知された該ページング信号がマッピングされている複数のサブフレームのパターンを示すマッピングパターンに基づいて、前記ページング信号を受信するタイミングを決定するように構成されている受信タイミング決定部と、前記受信タイミング決定部により決定された前記タイミングで、前記無線基地局から送信された前記ページング信号を受信するように構成されているページング信号受信部と、受信した前記ページング信号が自分宛てのページング信号である場合に、着信処理を行うように構成されている着信処理部とを具備することを要旨とする。
【００３２】
本発明の第６の特徴において、前記受信タイミング決定部は、前記ページング信号がマッピングされている無線フレームを構成する複数のサブフレームの中から選択したサブフレームを、前記タイミングとして決定するように構成されており、前記ページング信号は、複数の無線フレーム内の１つのサブフレームにおいてのみ送信されるように構成されていてもよい。
【００３３】
本発明の第６の特徴において、前記受信タイミング決定部は、前記ページング信号がマッピングされている無線フレームを構成する複数のサブフレームの中から選択したサブフレームを、前記タイミングとして決定するように構成されており、前記ページング信号は、１つの無線フレーム内の複数のサブフレームにおいて送信されるように構成されていてもよい。
【００３４】
本発明の第６の特徴において、前記間欠受信間隔に含まれる前記無線フレームの数を「Ｔ」とし、前記グループの総数を「Ｎ」とし、前記移動局の識別情報を「Ｕ」とすると、前記受信タイミング決定部は、
【数４Ａ】
2009035060.tif 000005
から算出される前記ＳＦＮによって特定される無線フレーム内の前記ＳＵＢＦＮに対応するサブフレームを、前記タイミングとして決定するように構成されていてもよい。
【００３５】
本発明の第７の特徴は、複数のグループのいずれかに属する移動局に対して、着信があった旨を通知するためのページング信号を送信するように構成されている無線基地局であって、複数の無線フレーム内の１つのサブフレームにおいてのみ、前記ページング信号を送信するように構成されているページング信号送信部と、前記移動局に対して、前記ページング信号に対する間欠受信を行う間隔を示す間欠受信間隔、及び、該ページング信号がマッピングされている複数のサブフレームのパターンを示すマッピングパターンを通知するように構成されている通知部とを具備し、前記移動局における前記ページング信号を受信するタイミングは、前記間欠受信間隔及び前記マッピングパターンに基づいて決定されるように構成されていることを要旨とする。
【００３６】
本発明の第８の特徴は、複数のグループのいずれかに属する移動局に対して、着信があった旨を通知するためのページング信号を送信するように構成されている無線基地局であって、１つの無線フレーム内の複数のサブフレームにおいて、前記ページング信号を送信するように構成されているページング信号送信部と、前記移動局に対して、前記ページング信号に対する間欠受信を行う間隔を示す間欠受信間隔、及び、該ページング信号がマッピングされている複数のサブフレームのパターンを示すマッピングパターンを通知するように構成されている通知部と、前記ページング信号を送信するサブフレームに応じて、前記間欠受信間隔及び前記マッピングパターンを調整するように構成されている調整部とを具備し、前記移動局における前記ページング信号を受信するタイミングは、前記間欠受信間隔及び前記マッピングパターンに基づいて決定されるように構成されていてもよい。
【図面の簡単な説明】
【００３７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおけるＰＣＨの送信タイミングを説明するための図である。
【図４】本発明の第１の実施形態に係る移動局の機能ブロック図である。
【図５】本発明の第１の実施形態に係る移動通信システムにおけるＰＣＨの送信タイミングを説明するための図である。
【図６】本発明の第１の実施形態に係る移動局の動作を示すフローチャートである。
【図７】本発明の変更例１に係る移動局においてページング信号を受信するタイミングを決定する動作を説明するための図である。
【図８】本発明の変更例２に係る移動局においてページング信号を受信するタイミングを決定する動作を説明するための図である。
【図９】本発明の変更例３に係る移動局においてページング信号を受信するタイミングを決定する動作を説明するための図である。
【図１０】本発明の変更例４に係る移動局においてページング信号を受信するタイミングを決定する動作を説明するための図である。
【図１１】従来の移動通信システムにおけるＰＣＨの送信タイミングを説明するための図である。
【発明を実施するための最良の形態】
【００３８】
（本発明の第１の実施形態に係る移動通信システムの構成）
図１乃至図５を参照して、本発明の第１の実施形態に係る移動通信システムの構成について説明する。なお、本実施形態では、ＬＴＥ方式の移動通信システムを例に挙げて説明するが、本発明は、かかる例に限定されるものではなく、他の任意の移動通信システムに適用することができる。【００３９】
図１に示すように、本発明の第１の実施形態に係る移動通信システムでは、無線基地局ｅＮＢが、複数のグループ＃１乃至＃３のいずれかに属する移動局ＵＥ＃１乃至＃３に対して着信があった旨を通知するためのページング信号（ＰＣＨ）を送信するように構成されている。【００４０】
具体的には、図１に示すように、グループ＃１に属する移動局ＵＥ＃１は、無線基地局ｅＮＢによって送信されたＰＤＣＣＨ＃１及びＰＤＳＣＨ＃１を介して、グループ＃１に属する移動局ＵＥに対して着信があった旨を通知するＰＣＨ（ページング信号）を受信するように構成されている。【００４１】
ここで、グループ＃１に属する全ての移動局ＵＥのページングＤＲＸ間隔と、グループ＃１用のＰＣＨが送信されるタイミング（サブフレーム単位）とは一致するように設定されている。【００４２】
なお、ページングＤＲＸ間隔は、無線基地局ｅＮＢから通知されたＰＣＨ（ページング信号）に対する間欠受信を行う間隔を示す間欠受信間隔を示す。【００４３】
また、グループ＃２に属する移動局ＵＥ＃２は、無線基地局ｅＮＢによって送信されたＰＤＣＣＨ＃２及びＰＤＳＣＨ＃２を介して、グループ＃２に属する移動局ＵＥに対して着信があった旨を通知するＰＣＨ（ページング信号）を受信するように構成されている。【００４４】
ここで、グループ＃２に属する全ての移動局ＵＥのページングＤＲＸ間隔と、グループ＃２用のＰＣＨが送信されるタイミング（サブフレーム単位）とは一致するように設定されている。【００４５】
さらに、グループ＃３に属する移動局ＵＥ＃３は、無線基地局ｅＮＢによって送信されたＰＤＣＣＨ＃３及びＰＤＳＣＨ＃３を介して、グループ＃３に属する移動局ＵＥに対して着信があった旨を通知するＰＣＨ（ページング信号）を受信するように構成されている。【００４６】
ここで、グループ＃３に属する全ての移動局ＵＥのページングＤＲＸ間隔と、グループ＃３用のＰＣＨが送信されるタイミング（サブフレーム単位）とは一致するように設定されている。【００４７】
また、無線基地局ｅＮＢは、所定のリソースブロックを用いて、全ての移動局ＵＥ＃１乃至＃３に対して、ＢＣＨ（Ｂｒｏａｄｃａｓｔ  Ｃｈａｎｎｅｌ）やＰＤＳＣＨを用いて、ＢＣＣＨを報知するように構成されている。【００４８】
図２に示すように、無線基地局ｅＮＢは、着信処理部１１と、ＰＣＨ送信部１２と、ＢＣＣＨ送信部１３と、セル帯域幅管理部１４と、パラメータ調整部１５とを具備している。【００４９】
着信処理部１１は、複数のグループ＃１乃至＃３のいずれかに属する移動局ＵＥ＃１乃至＃３に対して着信があるか否かについて監視するように構成されている。【００５０】
また、着信処理部１１は、移動局ＵＥ＃１乃至＃３から、ＰＣＨに対する応答信号を受信した場合に、当該移動局ＵＥ＃１乃至＃３に対して着信情報を転送するように構成されている。【００５１】
ＰＣＨ送信部１２は、複数のグループ＃１乃至＃３のいずれかに属する移動局ＵＥ＃１乃至＃３に対して着信があったことを検知した場合、当該移動局ＵＥ＃１乃至＃３に対して、その旨を通知するためのＰＣＨ（ページング信号）を送信するように構成されている。【００５２】
具体的には、ＰＣＨ送信部１２は、かかるＰＣＨのサブフレームへのマッピング方法について決定するように構成されている。【００５３】
例えば、図３（ａ）に示すように、ＰＣＨ送信部１２は、１つの無線フレーム（無線フレーム＃０又は＃１）内の複数のサブフレーム（サブフレーム＃０及び＃１）において、ＰＣＨ（ページング信号）を送信するように構成されていてもよい。【００５４】
また、図３（ｂ）に示すように、ＰＣＨ送信部１２は、複数の無線フレーム（無線フレーム＃０及び＃１）内の１つのサブフレーム（無線フレーム＃０のサブフレーム＃０）においてのみ、ＰＣＨ（ページング信号）を送信するように構成されていてもよい。【００５５】
なお、ＰＣＨ送信部１２は、各移動局ＵＥ宛ての着信量に応じて、ＰＣＨのサブフレームへのマッピング方法を変更するように構成されていてもよい。【００５６】
また、ＰＣＨ送信部１２は、各セルにおいて利用可能な帯域幅に応じて、ＰＣＨのサブフレームへのマッピング方法を変更するように構成されていてもよい。【００５７】
また、ＰＣＨ送信部１２は、各セルにおけるＢＣＣＨ（報知情報）の変更頻度に応じて、ＰＣＨのサブフレームへのマッピング方法を変更するように構成されていてもよい。【００５８】
ＢＣＣＨ送信部１３は、ＢＣＣＨによって、移動局ＵＥ＃１乃至＃３に対して、上述のページングＤＲＸ間隔（間欠受信間隔）及びグループの総数を通知するように構成されている。【００５９】
例えば、ＢＣＣＨ送信部１３は、ページングＤＲＸ間隔として、ページングＤＲＸ間隔を特定する識別情報を送信してもよいし、ページングＤＲＸ間隔に含まれる無線フレーム数を送信してもよい。【００６０】
なお、ＢＣＣＨ送信部１３は、ＢＣＣＨによって、移動局ＵＥ＃１乃至＃３に対して、後述するサブフレームオフセットＭやビットマップやマッピングパターンを通知するように構成されていてもよい。【００６１】
セル帯域幅管理部１４は、各セルにおいて利用可能な帯域幅を管理するように構成されている。【００６２】
パラメータ調整部１５は、上述のＰＣＨのサブフレームへのマッピング方法に応じて、ページングＤＲＸ間隔及びグループの総数を調整するように構成されている。【００６３】
例えば、パラメータ調整部１５は、各移動局ＵＥ＃１乃至＃３宛ての着信量に応じて、ページングＤＲＸ間隔及びグループの総数を調整するように構成されている。【００６４】
また、パラメータ調整部１５は、各セルにおいて利用可能な帯域幅に応じて、ページングＤＲＸ間隔及びグループの総数を調整するように構成されている。【００６５】
また、パラメータ調整部１５は、各セルにおけるＢＣＣＨ（報知情報）の変更頻度に応じて、ページングＤＲＸ間隔及びグループの総数を調整するように構成されている。【００６６】
図４に示すように、移動局ＵＥは、ＢＣＣＨ受信部３１と、ＰＣＨ受信タイミング決定部３２と、ＰＣＨ受信部３３と、着信処理部３４とを具備している。【００６７】
ＢＣＣＨ受信部３１は、ＢＣＣＨを介して、無線基地局ｅＮＢから、上述のページングＤＲＸ間隔及びグループの総数を受信するように構成されている。【００６８】
また、ＢＣＣＨ受信部３１は、ＢＣＣＨを介して、無線基地局ｅＮＢから、後述するサブフレームオフセットＭやビットマップやマッピングパターンを受信するように構成されていてもよい。【００６９】
ＰＣＨ受信タイミング決定部３２は、受信したページングＤＲＸ間隔及びグループの総数に基づいて、ＰＣＨ（ページング信号）を受信するタイミングを決定するように構成されている。【００７０】
具体的には、ＰＣＨ受信タイミング決定部３２は、ＰＣＨ（ページング信号）がマッピングされている複数のサブフレーム（図３（ａ）の例では、無線フレーム＃０内のサブフレーム＃０及び＃１や、無線フレーム＃１内のサブフレーム＃０及び＃１）の中から選択したサブフレームを、上述のタイミングとして決定するように構成されている。【００７１】
ここで、ＰＣＨは、図３（ａ）に示すように、１つの無線フレーム内の複数のサブフレームにおいて送信されるように構成されていてもよいし、図３（ｂ）に示すように、複数の無線フレーム内の１つのサブフレームにおいてのみ送信されるように構成されていてもよい。【００７２】
また、ＰＣＨ受信タイミング決定部３２は、「Ｔ≧Ｎ」の場合、
【数５】
2009035060.tif 000006
【００７３】
から算出されるＳＦＮによって特定される無線フレーム内の所定のサブフレームを、上述のタイミングとして決定するように構成されていてもよい。【００７４】
一方、ＰＣＨ受信タイミング決定部３２は、「Ｔ＜Ｎ」の場合、
【数６】
2009035060.tif 000007
【００７５】
から算出されるＳＦＮによって特定される無線フレーム内のＳＵＢＦＮに対応するサブフレームを、上述のタイミングとして決定するように構成されていてもよい。【００７６】
ここで、ページングＤＲＸ間隔（間欠受信間隔）に含まれる無線フレームの数を「Ｔ」とし、グループの総数を「Ｎ」とし、移動局ＵＥの識別情報を「Ｕ」とし、移動局ＵＥが属するグループの識別情報を「Ｇ」とする。【００７７】
なお、移動局ＵＥの識別情報としては、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）等のハッシュ値を用いることが想定される。【００７８】
また、ＰＣＨ受信タイミング決定部３２は、図５（ａ）に示すように、当該無線フレームの先頭サブフレーム（例えば、サブフレーム＃０）から順に選択した所定数（例えば、２つ）のサブフレーム（例えば、サブフレーム＃０、＃１）を、ＰＣＨが送信される１つの無線フレーム内の複数のサブフレームとして決定するように構成されていてもよい。【００７９】
また、ＰＣＨ受信タイミング決定部３２は、図５（ｂ）に示すように、ＰＣＨが送信される１つの無線フレーム内の複数のサブフレーム（例えば、サブフレーム＃３、＃４）を、無線基地局ｅＮＢからＢＣＣＨによって通知された当該無線フレーム内の先頭サブフレーム（サブフレーム＃０）からのサブフレームオフセットＭ（例えば、Ｍ＝３）に基づいて決定するように構成されていてもよい。【００８０】
また、ＰＣＨ受信タイミング決定部３２は、図５（ｃ）に示すように、ＰＣＨが送信される１つの無線フレーム内の複数のサブフレーム（例えば、サブフレーム＃２、＃４）を、無線基地局ｅＮＢから通知されたＰＣＨがマッピングされている複数のサブフレームを示すビットマップに基づいて決定するように構成されていてもよい。【００８１】
例えば、ＰＣＨ受信タイミング決定部３２は、図５（ｃ）に示すビットマップ（１０ビット）を受信した場合、所定の無線フレーム内のサブフレーム＃２、＃４、＃７、＃８においてＰＣＨが送信しているものと判定することができる。【００８２】
このように、ビットマップを通知することによって、ＰＣＨのサブフレームへの全てのマッピング方法を通知することができる。【００８３】
また、ＰＣＨ受信タイミング決定部３２は、図５（ｄ）に示すように、ＰＣＨが送信される１つの無線フレーム内の複数のサブフレーム（例えば、サブフレーム＃０乃至＃９（マッピングパターン＃０の場合））を、無線基地局ｅＮＢから通知されたＰＣＨがマッピングされている複数のサブフレームのパターンを示すマッピングパターンに基づいて決定するように構成されていてもよい。【００８４】
例えば、ＰＣＨ受信タイミング決定部３２は、図５（ｄ）に示すマッピングパターン＃０乃至＃７を記憶しており、無線基地局ｅＮＢからＢＣＣＨによって、マッピングパターン＃０を示す識別情報（３ビット）を受信した場合、所定の無線フレーム内の全てのサブフレーム＃０乃至９においてＰＣＨが送信しているものと判定することができる。【００８５】
このように、マッピングパターンを示す識別情報を通知することによって、少ないデータ量で、多様なＰＣＨのサブフレームへのマッピング方法を通知することができる。【００８６】
ＰＣＨ受信部３３は、ＰＣＨ受信タイミング決定部３２により決定されたタイミング（サブフレーム）で、無線基地局ｅＮＢから送信されたＰＣＨ（Ｐ-ＲＮＴＩを含むＰＤＣＣＨ及びＰＣＨを含むＰＤＳＣＨ）を受信するように構成されている。【００８７】
着信処理部３４は、ＰＣＨ受信部３３で受信したＰＣＨに含まれているＵＥ-ＩＤに基づいて、当該ＰＣＨが自分宛てのＰＣＨであると判定した場合に、着信処理を行うように構成されている。【００８８】
（本発明の第１の実施形態に係る移動通信システムの動作）
図６を参照して、本発明の第１の実施形態に係る移動局通信システムにおける移動局ＵＥの動作について説明する。【００８９】
図６に示すように、ステップＳ１０１において、移動局ＵＥは、無線基地局ｅＮＢから受信したＢＣＣＨに含まれる情報に基づいて、ページングＤＲＸ間隔に含まれる無線フレーム数（Ｔ）及びグループの総数（Ｎ）を取得する。【００９０】
ステップＳ１０２において、移動局ＵＥは、ページングＤＲＸ間隔に含まれる無線フレーム数（Ｔ）と、グループの総数（Ｎ）とを比較する。【００９１】
移動局ＵＥは、ページングＤＲＸ間隔に含まれる無線フレーム数（Ｔ）がグループの総数（Ｎ）以上であると判定した場合、ステップＳ１０３において、「Ｕ  ｍｏｄ  Ｎ」によって、当該移動局ＵＥが属するグループの識別情報（Ｇ：グループＩＤ）を算出する。【００９２】
ステップＳ１０４において、移動局ＵＥは、「ＳＦＮ  ｍｏｄ  Ｔ  ＝  Ｇ・Ｔ/Ｎ」が成立するＳＦＮによって特定される無線フレームを、ＰＣＨがマッピングされているサブフレームを含む無線フレームとして決定する。【００９３】
ステップＳ１０８において、移動局ＵＥは、当該ＳＦＮによって特定される無線フレーム内の所定のサブフレーム（例えば、先頭サブフレーム＃０）において、ＰＣＨ（ＰＤＣＣＨ及びＰＤＳＣＨ）を受信する。【００９４】
一方、移動局ＵＥは、ページングＤＲＸ間隔に含まれる無線フレーム数（Ｔ）がグループの総数（Ｎ）よりも小さいと判定した場合、ステップＳ１０５において、「Ｕ  ｍｏｄ  Ｎ」によって、当該移動局ＵＥが属するグループの識別情報（Ｇ：グループＩＤ）を算出する。【００９５】
ステップＳ１０６において、移動局ＵＥは、
【数７】
2009035060.tif 000008
【００９６】
が成立するＳＦＮによって特定される無線フレームを、ＰＣＨがマッピングされているサブフレームを含む無線フレームとして決定する。【００９７】
ステップＳ１０６において決定された無線フレーム内の複数のサブフレームにおいてＰＣＨが送信されていることが想定されるため、ステップＳ１０７において、移動局ＵＥは、「ＳＵＢＦＮ  ＝  Ｇ  ｍｏｄ  （Ｎ/Ｔ）」によって算出されたＳＵＢＦＮによって特定されるサブフレームを、ＰＣＨがマッピングされているサブフレームとして決定する。【００９８】
ステップＳ１０８において、移動局ＵＥは、当該ＳＦＮによって特定される無線フレーム内の当該ＳＵＢＦＮによって特定されるサブフレームにおいて、ＰＣＨ（ＰＤＣＣＨ及びＰＤＳＣＨ）を受信する。【００９９】
なお、当該ＳＵＢＦＮが、当該ＳＦＮによって特定される無線フレーム内のどのサブフレームを特定するのかについては、上述したように、図５（ａ）乃至図５（ｄ）に示す４つの方法が想定される。【０１００】
なお、本実施形態において、グループを決定し、各グループ用のＰＣＨ（ページング信号）の送信タイミング（サブフレーム）を決定した上で、同一グループに属する移動局ＵＥ（すなわち、ＰＣＨ（ページング信号）の送信タイミング（サブフレーム）が同一の移動局ＵＥ）を、更にサブグループに分けることができる。【０１０１】
また、本実施形態において、非特許文献２に示すように、サブグループ毎に異なるＰ-ＲＮＴＩを含むＰＤＣＣＨを送信してもよいし、ＰＣＨをページングするサブグループの識別子を含む通常と異なるフォーマットのＰＤＣＣＨを送信してもよい（ここで、サブグループは、非特許文献２に記載されているグループに該当する）。【０１０２】
この場合、サブグループ数を指定する値が報知情報に含まれる。本発明は、上述のようなサブグループの採否を問わず、ＰＣＨ（ページング信号）の送信タイミングを決定する方法として適用できる。【０１０３】
（本発明の第１の実施形態に係る移動通信システムの作用・効果）
本実施形態に係る移動通信システムによれば、各グループ用のＰＣＨ（ページング信号）の送信タイミング（サブフレーム）を柔軟に変更することができる。【０１０４】
また、本実施形態において、グループ数を減らし、ＰＣＨ（ページング信号）の送信タイミング（ＰＣＨが送信されるサブフレーム）を減らすことは、ＰＣＨ（ページング信号）を送信するためのＰＤＣＣＨのオーバヘッドを削減するために望ましい。【０１０５】
これは、１回のＰＤＣＣＨの送信で、確率的に、より多くの移動局ＵＥの着信を通知（シグナリング）することができるためである。【０１０６】
また、報知情報が変更された場合に、無線基地局ｅＮＢが、移動局ＵＥに対して、かかる報知情報の再受信を促すように、かかる報知情報の変更を通知するシグナリングを送信する必要がある。【０１０７】
かかるシグナリングは、セル内で待受け中の全移動局ＵＥに届ける必要があるため、全てのグループ用のＰＣＨ（ページング信号）の送信タイミングで、繰り返し送信される必要がある。【０１０８】
また、移動局ＵＥが、自身が属するグループ宛てのＰＣＨ（ページング信号）の送信タイミングでの受信を失敗する可能性を考慮して、十分な回数、かかるシグナリングを繰り返し送信する必要がある。【０１０９】
したがって、グループ数を減らし、ＰＣＨ（ページング信号）の送信タイミング（ＰＣＨが送信されるサブフレーム）を減らすことは、報知情報の変更を通知するシグナリングのオーバヘッドを削減する観点で望ましい。【０１１０】
一方、本実施形態において、グループ数を減らし、ＰＣＨ（ページング信号）の送信タイミング（ＰＣＨが送信されるサブフレーム）を減らすことは、ページング容量の削減をもたらすリスクを伴う。【０１１１】
これは、１サブフレームで送信できるＰＤＣＣＨの本数に制限があること、及び、ＰＤＳＣＨで送信できるビット数に制限があり、ＰＤＳＣＨに含めることができるＵＥ-ＩＤ数に制限があることに由来する。【０１１２】
ＬＴＥは、１.６ＭＨｚから２０ＭＨｚまでの多様な帯域幅をサポートするシステムであり、上記制限は、システムの帯域幅にも依存する。【０１１３】
したがって、帯域幅が狭い場合や、帯域幅に比べて着信量が多い場合には、グループ数を増やし、ＰＣＨ（ページング信号）の送信タイミングを増やすことで、ページング容量を確保することが望ましい。【０１１４】
以上の通り、シグナリングのオーバヘッドとページング容量との間には、トレードオフの関係があり、最適なグループ数は、システムの帯域幅、着信量、及び、報知情報の変更頻度に依存する。【０１１５】
これらを勘案し、オーバヘッド及びページング容量の観点で、最適なグループ数を設定することが望ましい。【０１１６】
本発明は、これらの条件に応じて柔軟にオーバヘッドとページング容量とのバランスを最適化できる方法を提供できる。【０１１７】
（変更例１）
本発明の変更例１では、移動局ＵＥのＰＣＨ受信タイミング決定部３２は、無線基地局ｅＮＢから通知されたページング信号に対する間欠受信を行う間隔を示す間欠受信間隔（ページングＤＲＸ間隔）、及び、かかる無線基地局ｅＮＢから通知されたページング信号がマッピングされている複数のサブフレームのパターンを示すマッピングパターンに基づいて、ページング信号を受信するタイミングを決定するように構成されている。【０１１８】
具体的には、移動局ＵＥのＰＣＨ受信タイミング決定部３２は、図７の「Ｒａｄｉｏ  ｆｒａｍｅ」で規定されている式から算出されるＳＦＮによって特定される無線フレーム内で、図７の「Ｓｕｂｆｒａｍｅ  ｉｎｄｅｘ」で規定されている式から算出されるｉによって特定されるサブフレームを、上述のタイミングとして決定するように構成されていてもよい。【０１１９】
ここで、図７の「Ｅｘａｍｐｌｅ  １」に示すように、「Ｔ＝１２８」とし、「Ｎ/Ｔ＝４」とすると、１２ビットからなる「ＵＥ-ＩＤ」において、ビット＃１乃至＃７の値は、無線フレームＳＦＮの計算に用いられ、ビット＃８及び＃９の値は、サブフレームｉの計算に用いられ、ビット＃１０乃至＃１２の値は、これらの計算に用いられない。【０１２０】
また、図７の「Ｅｘａｍｐｌｅ  ２」に示すように、「Ｔ＝３２」とし、「Ｎ/Ｔ＝８」とすると、１２ビットからなる「ＵＥ-ＩＤ」において、ビット＃１乃至＃５の値は、無線フレームＳＦＮの計算に用いられ、ビット＃６乃至＃８の値は、サブフレームｉの計算に用いられ、ビット＃９乃至＃１２の値は、これらの計算に用いられない。【０１２１】
さらに、図７の「Ｅｘａｍｐｌｅ  ３」に示すように、「Ｔ＝６４」とし、「Ｎ/Ｔ＝１/４」とすると、１２ビットからなる「ＵＥ-ＩＤ」において、ビット＃１乃至＃４の値は、無線フレームＳＦＮの計算に用いられ、ビット＃５乃至＃１２の値は、これらの計算に用いられない。【０１２２】
（変更例２）
本発明の変更例２では、移動局ＵＥのＰＣＨ受信タイミング決定部３２は、無線基地局ｅＮＢから通知されたページング信号に対する間欠受信を行う間隔を示す間欠受信間隔（ページングＤＲＸ間隔）、及び、かかる無線基地局ｅＮＢから通知されたページング信号がマッピングされている複数のサブフレームのパターンを示すマッピングパターンに基づいて、ページング信号を受信するタイミングを決定するように構成されている。【０１２３】
具体的には、移動局ＵＥのＰＣＨ受信タイミング決定部３２は、図８の「Ｒａｄｉｏ  ｆｒａｍｅ」で規定されている式から算出されるＳＦＮによって特定される無線フレーム内で、図８の「Ｓｕｂｆｒａｍｅ  ｉｎｄｅｘ」で規定されている式から算出されるｉによって特定されるサブフレームを、上述のタイミングとして決定するように構成されていてもよい。【０１２４】
ここで、図８の「Ｅｘａｍｐｌｅ  １」に示すように、「Ｔ＝１２８」とし、「Ｎ/Ｔ＝４」とすると、１２ビットからなる「ＵＥ-ＩＤ」において、ビット＃１及び＃２の値は、サブフレームｉの計算に用いられ、ビット＃３乃至＃９の値は、無線フレームＳＦＮの計算に用いられ、ビット＃１０乃至＃１２の値は、これらの計算に用いられない。【０１２５】
また、図８の「Ｅｘａｍｐｌｅ  ２」に示すように、「Ｔ＝３２」とし、「Ｎ/Ｔ＝８」とすると、１２ビットからなる「ＵＥ-ＩＤ」において、ビット＃１乃至＃３の値は、サブフレームｉの計算に用いられ、ビット＃４乃至＃８の値は、無線フレームＳＦＮの計算に用いられ、ビット＃９乃至＃１２の値は、これらの計算に用いられない。【０１２６】
さらに、図８の「Ｅｘａｍｐｌｅ  ３」に示すように、「Ｔ＝６４」とし、「Ｎ/Ｔ＝１/４」とすると、１２ビットからなる「ＵＥ-ＩＤ」において、ビット＃１乃至＃４の値は、無線フレームＳＦＮの計算に用いられ、ビット＃５乃至＃１２の値は、これらの計算に用いられない。【０１２７】
（変更例３）
本発明の変更例３では、移動局ＵＥのＰＣＨ受信タイミング決定部３２は、無線基地局ｅＮＢから通知されたページング信号に対する間欠受信を行う間隔を示す間欠受信間隔（ページングＤＲＸ間隔）、及び、かかる無線基地局ｅＮＢから通知されたページング信号がマッピングされている複数のサブフレームのパターンを示すマッピングパターンに基づいて、ページング信号を受信するタイミングを決定するように構成されている。【０１２８】
具体的には、移動局ＵＥのＰＣＨ受信タイミング決定部３２は、図９の「Ｒａｄｉｏ  ｆｒａｍｅ」で規定されている式から算出されるＳＦＮによって特定される無線フレーム内で、図９の「Ｓｕｂｆｒａｍｅ  ｉｎｄｅｘ」で規定されている式から算出されるｉによって特定されるサブフレームを、上述のタイミングとして決定するように構成されていてもよい。【０１２９】
ここで、図９の「Ｅｘａｍｐｌｅ  １」に示すように、「Ｔ＝１２８」とし、「Ｎ/Ｔ＝４」とすると、１２ビットからなる「ＵＥ-ＩＤ」において、ビット＃１及び＃２の値は、サブフレームｉの計算に用いられ、ビット＃５乃至＃１１の値は、無線フレームＳＦＮの計算に用いられ、ビット＃３、＃４、＃１２の値は、これらの計算に用いられない。【０１３０】
また、図９の「Ｅｘａｍｐｌｅ  ２」に示すように、「Ｔ＝３２」とし、「Ｎ/Ｔ＝８」とすると、１２ビットからなる「ＵＥ-ＩＤ」において、ビット＃１乃至＃３の値は、サブフレームｉの計算に用いられ、ビット＃５乃至＃９の値は、無線フレームＳＦＮの計算に用いられ、ビット＃４、＃１０乃至＃１２の値は、これらの計算に用いられない。【０１３１】
さらに、図９の「Ｅｘａｍｐｌｅ  ３」に示すように、「Ｔ＝６４」とし、Ｎ/Ｔ＝１/４」とすると、１２ビットからなる「ＵＥ-ＩＤ」において、ビット＃５乃至＃８の値は、無線フレームＳＦＮの計算に用いられ、ビット＃１乃至＃４、＃９乃至＃１２の値は、これらの計算に用いられない。【０１３２】
（変更例４）
本発明の変更例４では、移動局ＵＥのＰＣＨ受信タイミング決定部３２は、図１０に示すマッピングテーブルを参照して、ページング信号を受信するタイミングを決定するように構成されている。【０１３３】
例えば、移動局ＵＥのＰＣＨ受信タイミング決定部３２は、無線基地局ｅＮＢから、ページングＤＲＸ間隔「Ｔ」及びマッピングパターンを受信した場合、図１０に示すマッピングテーブルにおいて該マッピングパターンに対応する「Ｎｆｒ」を抽出し、抽出した「Ｎｆｒ」から「Ｎ」を算出し、かかる「Ｔ」及び「Ｎ」を図７乃至図９の「Ｒａｄｉｏ  ｆｒａｍｅ」に規定されている式に適用することによって、「ＳＦＮ」及び「ｉ（＝ＳＵＢＦＮ）」を算出する。【０１３４】
図１０の例において、マッピングパターン＃０が通知された場合、ページング信号は、４つの無線フレーム内の１つのサブフレームにおいてのみ送信されるものとする。【０１３５】
ここで、必ず「ｉ＝０（サブフレーム＃９に対応）」になるように構成されているため、図７乃至図９の「Ｒａｄｉｏ  ｆｒａｍｅ」に規定されている式によって算出された「ＳＦＮ」によって特定される無線フレーム内の「サブフレーム＃９」において、ページング信号が送信されるものとする。【０１３６】
ＬＴＥ方式の移動通信システムでは、無線フレームは、１０個のサブフレーム＃０乃至＃９によって構成されており、報知情報（ＭＩＢ）は、各無線フレーム内の１番目のサブフレーム＃０によって送信されるように構成されており、報知情報（ＳＩＢ１）は、偶数番号の無線フレーム内の６番目のサブフレーム＃５によって送信されるように構成されている。【０１３７】
よって、他のサブフレームを、ページング信号の送信に用いることは、ページングチャネルの容量確保の観点で有利である。【０１３８】
また、ＬＴＥ方式の移動通信システムでは、報知情報が変更された場合に、変更があった旨がページング信号にて通知される。【０１３９】
かかる通知を受信した移動局ＵＥは、先ず、１番目のサブフレーム＃０で送信される報知情報（ＭＩＢ）を受信し、次に、６番目のサブフレーム＃５で通知される報知情報（ＳＩＢ１）を受信する。【０１４０】
よって、１０番目のサブフレーム＃９をページング信号の送信に用いることは、報知情報の変更が通知された場合に、素早く報知情報を取得する上で有利である。【０１４１】
また、１０番目のサブフレーム＃９の次に、５番目のサブフレーム＃４をページング信号の送信に用いることは、移動局ＵＥが、着信に応答して、ネットワークにアクセスする際、ランダムアクセスチャネルの負荷を分散する上で有利である。【０１４２】
すなわち、本変更例４に係る移動通信システムでは、ページング信号を送信するサブフレームとして、各無線フレーム内の１０番目のサブフレーム＃９及び各無線フレーム内の５番目のサブフレーム＃６の順に優先して用いるように構成されている。【０１４３】
なお、上述の移動局ＵＥ及び無線基地局ＮｏｄｅＢの動作は、ハードウェアによって実施されてもよいし、プロセッサによって実行されるソフトウェアモジュールによって実施されてもよいし、両者の組み合わせによって実施されてもよい。【０１４４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【０１４５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【０１４６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１４７】
なお、日本国特許出願第２００８−２４６２０号（２００８年２月４日出願）の全内容が、参照により、本願明細書に組み込まれている。
【産業上の利用可能性】
【０１４８】
以上説明したように、本発明に係るページング信号送信方法、移動局及び無線基地局は、各グループ用のページング信号の送信タイミングを柔軟に変更することができるため、有用である。
【図１】
2009035060.tif 000012
【図２】
2009035060.tif 000013
【図３】
2009035060.tif 000014
【図４】
2009035060.tif 000015
【図５】
2009035060.tif 000016
【図６】
2009035060.tif 000017
【図７】
2009035060.tif 000018
【図８】
2009035060.tif 000019
【図９】
2009035060.tif 000020
【図１０】
2009035060.tif 000021
【図１１】
2009035060.tif 000022
【国際調査報告】
2009035060.tif 000023
2009035060.tif 000024
2009035060.tif 000025
2009035060.tif 000026